(57)【要約】【課題】レジスタが設置されている売場に応じて釣銭の準備を行うことができ、かつ締上時に現金の計数を自動で行う手段を提供する。【解決手段】レジスタの現金を入金する現金入金部と、レジスタへの現金を出金する現金出金部とを備えた釣銭入出金機の主制御部に、現金入金部へ入金された現金の入金情報を格納する入金情報格納ステップと、現金出金部から出金した現金の出金情報を格納する出金情報格納ステップと、入金情報と出金情報とをフィードバックして次回に準備する釣銭を算出する次回釣銭準備金算出ステップと、締上時の現金計数を自動で行う売上集計ステップとを実行させる。【選択図】        図１
2005078188.tif 000002
【特許請求の範囲】
【請求項１】
レジスタの現金を入金する現金入金部と、レジスタへの現金を出金する現金出金部とを備え、
前記現金入金部へ入金された現金の入金情報と前記現金出金部から出金した現金の出金情報とをフィードバックしながら次回に準備する釣銭を算出することを特徴とする釣銭入出金機。
【請求項２】
請求項１において、
前記次回に準備する釣銭を算出するときに、前記入金情報と出金情報に所定の割合を乗じてフィードバックすることを特徴とする釣銭入出金機。
【請求項３】
請求項１または請求項２において、
中央管理サーバを設け、前記入金情報と出金情報を前記中央管理サーバへ送信して蓄積すると共に、次回に準備する釣銭を前記中央管理サーバからの通知に基づいて出金することを特徴とする釣銭入出金機。
【請求項４】
請求項１、請求項２または請求項３において、
前記次回に準備する釣銭を、算出後に変更可能としたことを特徴とする釣銭入出金機。
【請求項５】
請求項１から請求項３または請求項４において、
前記次回に準備する釣銭を、金種毎の枚数により設定することを特徴とする釣銭入出金機。
【請求項６】
レジスタの現金を入金する現金入金部と、レジスタへの現金を出金する現金出金部とを備えた釣銭入出金機の主制御部に、
前記現金入金部へ入金された現金の入金情報を格納する入金情報格納ステップと、
前記現金出金部から出金した現金の出金情報を格納する出金情報格納ステップと、
前記入金情報と出金情報とをフィードバックして次回に準備する釣銭を算出する次回釣銭準備金算出ステップとを実行させることを特徴とする釣銭入出金機のプログラム。
【発明の詳細な説明】
【技術分野】
【０００１】
本発明は、百貨店やスーパーマーケット等の小売業の店舗等に設置されたレジスタへ開店前に準備しておく釣銭や補充する釣銭を出金し、レジスタからの現金を回収する釣銭入出金機およびそのプログラムに関する。
【背景技術】
【０００２】
一般に、小売業の店舗では、開店前に販売した商品代金の清算に用いる釣銭をレジスタに準備して営業を開始し、営業中に釣銭が不足した場合はそれを補充し、レジスタの現金が過剰になった場合はその現金を回収しながら営業活動を行い、営業時間の終了後または定期的にレジスタの現金を回収してその日またはその時の売上に対する締上を行っている。
【０００３】
このような営業中の補充および回収のタイミングを適正化するために従来の釣銭管理システムは、店舗ホスト計算機が店舗内のレジスタの在高を定期的に取得してログデータとして蓄積し、この蓄積したログデータに基づいて時間別、日別、季節別等の現金収納状況を分析し、過去の実績から適正な補充または回収のタイミングとその準備する釣銭を予想して担当者へ事前に通知している（例えば、特許文献１参照。）。
【０００４】
また、開店前のレジスタの釣銭の準備を自動で行うために従来のレジスタは、１日の営業の終了時に、予め日付、曜日、月等により適宜設定した残置額設定テーブルを基に必要に応じて変化させた残置額を残してレジスタから現金の回収を行い、釣銭を準備している（例えば、特許文献２参照。）。
【特許文献１】特開２００１−３４４６５９号公報（第５−６頁、第２図）
【特許文献２】特開平９−１６１１２４号公報（第６頁、第７図）
【発明の開示】
【発明が解決しようとする課題】
【０００５】
しかしながら、上述した従来の技術においては、蓄積した時間別、日別、曜日別、月別、季節別等の過去の実績に基づいた予想やこれらにより予め設定した設定テーブルを基に釣銭を準備しているため、レジスタが設置されている売場の短期的または局所的な変動に対応することができないという問題がある。
また、店舗の締上時には、特許文献１の技術においては店舗ホスト計算機が集計して通知された集計結果を基に、特許文献２の技術においては各レジスタの集計結果を基に担当者が回収した現金を手作業によって確認しているため、締上時に違算等が発生した場合はその調査に多大な労力を要するという問題がある。
【０００６】
本発明は、上記の問題点を解決するためになされたもので、レジスタが設置されている売場に応じて釣銭の準備を行うことができ、かつ締上時に現金の計数を自動で行う手段を提供することを目的とする。
【課題を解決するための手段】
【０００７】
本発明は、上記課題を解決するために、釣銭入出金機が、レジスタの現金を入金する現金入金部と、レジスタへの現金を出金する現金出金部とを備え、前記現金入金部へ入金された現金の入金情報と前記現金出金部から出金した現金の出金情報とをフィードバックしながら次回に準備する釣銭を算出することを特徴とする。
また、レジスタの現金を入金する現金入金部と、レジスタへの現金を出金する現金出金部とを備えた釣銭入出金機の主制御部に、前記現金入金部へ入金された現金の入金情報を格納する入金情報格納ステップと、前記現金出金部から出金した現金の出金情報を格納する出金情報格納ステップと、前記入金情報と出金情報とをフィードバックして次回に準備する釣銭を算出する次回釣銭準備金算出ステップとを実行させることを特徴とする。
【発明の効果】
【０００８】
このように、本発明は、現金入金部へ入金された現金の入金情報と釣銭の補充のために出金した現金の出金情報とから次回に準備する釣銭の次回釣銭反映枚数を算出するようにしたことによって、レジスタが設置されている売場の状況を次回に準備する釣銭にフィードバックすることができ、締上の間に準備する釣銭の過剰または不足を解消することができるという効果が得られる。
【発明を実施するための最良の形態】
【０００９】
以下に、図面を参照して本発明による釣銭入出金機の実施例について説明する。
【実施例１】
【００１０】
図１は実施例１の業務処理を示すフローチャート、図２は実施例１の釣銭入出金機を示すブロック図、図３はその現金取扱部を示すブロック図である。
図２において、１は釣銭入出金機であり、百貨店やスーパーマーケット、コンビニエンスストア等の小売業の店舗等に設置され、店舗の出納係やレジスタ２のオペレータ等の係員が操作して店舗の売場に設置されているレジスタ２へ開店前等に準備しておく釣銭（釣銭準備金という。）や補充する釣銭の出金およびレジスタ２から回収された現金の入金等を行う。
【００１１】
３は釣銭入出金機１の主制御部であり、釣銭入出金機１内の各部を制御して業務処理等を実行する。
４は記憶部であり、主制御部３が実行するプログラムや主制御部３による処理結果等が格納される。
５は表示操作部であり、ＬＣＤ等の表示画面とタッチパネル等の位置信号検出手段との組合せで構成されており、表示画面に業務選択画面や係員の処置を促す画面等を表示する一方、位置信号検出手段により係員からの入力を受付ける。
【００１２】
６は印刷部であり、プリンタ等を備えており、釣銭入出金機１による入金や出金の履歴およびその集計結果等の売上明細票等を印刷して排出する。
７は現金取扱部であり、釣銭入出金機１へ投入された現金を受入れ、これを鑑別、計数して金種別に収納し、出金する現金を排出する機能を有している。
図３において、１１は現金入金部としての紙幣入金部であり、係員が投入した紙幣を受入れ、これを１枚毎に分離して繰出す機能を有している。
【００１３】
１２は現金鑑別部としての紙幣鑑別部であり、搬入された紙幣の真偽、正損、金種等を鑑別、計数すると共にその鑑別結果を主制御部３へ転送する。
１３は金種別金庫としての金種別紙幣金庫であり、紙幣鑑別部１２で鑑別された紙幣を金種毎に集積して収納すると共に収納している紙幣を１枚毎に分離して繰出す機能を有している。
【００１４】
１４は現金入金部としての硬貨入金口であり、係員が投入した硬貨を受入れ、これを搬送路等へ放出する機能を有している。
１５は現金鑑別部としての硬貨鑑別部であり、硬貨搬送路またはリフタ等により搬入された硬貨の真偽、正損、金種等を鑑別、計数すると共にその鑑別結果を主制御部３へ転送する。
【００１５】
１６は硬貨選別部であり、搬入された硬貨を金種毎に選別する機能を有している。
１７は金種別金庫としての金種別硬貨金庫であり、硬貨選別部１６で選別された金種毎の硬貨を収納すると共に収納している硬貨を１枚毎に搬出する機能を有している。
１８は現金出金部であり、レジスタ２へ出金する現金である紙幣や硬貨を出金箱等へ金種毎に区分して出金すると共に、釣銭入出金機１に収納されている現金を回収する際にはその紙幣や硬貨を回収カセット等へ充填する機能を有している。
【００１６】
なお、図３に示した実線は、紙幣搬送路や硬貨搬送路、リフタ等による各部位の接続状態を示している。
また、上記紙幣入金部１１と現金出金部１８および硬貨入金部１４と現金出金部１８とは別に設けるとして説明したが、これらを統合して１つの現金入出金部として設けるようにしてもよく、紙幣と硬貨をそれぞれに統合して紙幣入出金部および硬貨入出金部として設けるようにしてもよい。
【００１７】
上述した構成の作用について説明する。
本実施例の釣銭入出金機１の記憶部４には、予め釣銭準備金の出金や不足した釣銭の補充、過剰となった釣銭の回収等の現金の入出金等の釣銭入出金機１の業務処理および釣銭準備金の適正化を実行するための「業務実行プログラム」が格納されている。
また、記憶部４には、釣銭入出金機１が設置されている店舗の日別、曜日別、週別、月別、季節別の売上高およびその売場の商品等を考慮した日付毎の釣銭準備金の金種毎の枚数である基準釣銭枚数をレジスタ２のレジ番号毎に記載した釣銭準備金基準テーブル、レジスタ２の稼動時間帯を考慮して設定した釣銭出金比率（営業時間の全時間帯に渡って稼動するレジスタ２は「１」、一部の時間帯のみ稼動するレジスタ２、例えば混雑時にのみ稼動させるレジスタ２はその時間帯を考慮して「０．７」等）と稼動時間帯をレジ番号毎に記載した釣銭出金比率設定テーブルが格納されている。
【００１８】
更に、記憶部４には、釣銭準備金基準テーブルを補完してレジスタ２が設置されている売場の状況を次回の釣銭準備金の出金にフィードバックするための金種毎の次回釣銭反映枚数を格納する釣銭反映枚数格納エリアがレジ番号毎に確保される他、入金時の入金情報や出金時の出金情報、締上時の締上情報等の履歴情報を格納する履歴情報格納エリアがレジ番号毎に確保されている。
【００１９】
なお、店舗の新規開店時や売場のレイアウト変更等により、レジスタ２が設置されている売場の状況が一変した場合には、そのレジ番号の次回釣銭枚数はリセットされて初期値、例えば「０」に設定される。
また、釣銭出金比率は、定期的に、例えば２時間毎に締上を行う店舗の場合はその締上間隔を考慮した釣銭出金比率を設定するようにする。
【００２０】
この釣銭出金比率は日毎にまたは締上間隔毎に設定するようにしてもよい。
以下に、図１に示すフローチャートを用い、Ｓで示すステップに従って本実施例の釣銭入出金機１の業務処理について説明する。
Ｓ１、店舗の係員は開店前の業務開始時に釣銭入出金機１へ電源を投入し、釣銭入出金機１の主制御部３は、これを検知して「業務実行プログラム」を起動する。
【００２１】
「業務実行プログラム」を起動すると、主制御部３はこのプログラムに従って釣銭準備金基準テーブルから当日の日付の各レジスタ２の基準釣銭枚数を読出し、これを記憶部４へ保存する。
Ｓ２、基準釣銭枚数の保存を終えた主制御部３は、表示操作部５の画面に業務選択画面を表示して待機する。
【００２２】
業務選択画面には、業務選択ボタンの押下を促す旨の文言とレジスタ２へ釣銭準備金を出金するための「釣銭出金」ボタン、定期的または必要に応じてレジスタ２の現金を回収して締上を行うための「締上」ボタン、営業時間の終了後に１日の売上を集計するための「売上集計」ボタン、過剰となったレジスタ２の現金を入金するための「入金」ボタンおよび不足した釣銭を補充するための「補充」ボタン等の業務を選択するための業務選択ボタンが表示されている。
【００２３】
係員は表示操作部５の画面から業務を選択し、レジスタ２へ釣銭準備金を出金するときは「釣銭出金」ボタンを、レジスタ２の現金を回収して締上を行うときは「締上」ボタンを、営業時間の終了後に１日の売上を集計するときは「売上集計」ボタンを、過剰となったレジスタ２の現金を入金するときは「入金」ボタンを、不足した釣銭を補充するときは「補充」ボタンを押下する。
【００２４】
なお、開店前には係員は「釣銭出金」ボタンを押下して各売場のレジスタ２に釣銭準備金を準備する。
また、「締上」ボタンは、定期的または必要に応じて係員が押下して途中締上を行う場合に用い、営業時間の終了後に行う１日分の締上の場合は「売上集計」ボタンを押下する。
【００２５】
Ｓ３、押下された業務選択ボタンをタッチパネルからの位置信号等により認識した主制御部３は、押下された業務選択ボタンが「釣銭出金」ボタンである場合はステップＳ４へ、その他の業務選択ボタンの場合はステップＳ８へ移行する。
Ｓ４、「釣銭出金」ボタンが押下されたことを認識した主制御部３は、表示操作部５の画面にレジ番号の入力を促す旨や出金箱の装着を促す旨の文言およびレジ番号入力欄と入力のためのテンキー等の入力ボタン並びに入力を確定するための「確認」ボタンを表示したレジ番号入力画面を表示する。
【００２６】
係員は釣銭を準備するレジスタ２のレジ番号を入力して「確認」ボタンを押下を押下すると共にそのレジ番号の出金箱を釣銭入出金機１の現金出金部１８に装着する。
Ｓ５、レジ番号を認識した主制御部３は、そのレジスタ２の釣銭準備金の金種毎の枚数を算出する。
すなわち、主制御部３は記憶部４に保存してある基準釣銭枚数からそのレジ番号の基準釣銭枚数を抽出し、前日の売上集計時に更新した釣銭反映枚数格納エリアのそのレジ番号の次回釣銭反映枚数（後述するステップＳ１８）を加算して金種毎の出金枚数を算出する。
【００２７】
そして、釣銭出金比率設定テーブルからそのレジ番号の釣銭出金比率を読出し、算出した金種毎の出金枚数に乗じて釣銭準備金の金種毎の枚数を算出する。この場合に小数点以下の端数は切上げても切捨てても四捨五入してもよい。
Ｓ６、釣銭準備金の金種毎の枚数を算出した主制御部３は、出金箱の装着を確認して釣銭出金処理を実行する。
【００２８】
すなわち、主制御部３は算出された釣銭準備金の中の紙幣は、その金種の紙幣を金種毎に金種別紙幣金庫１３から必要枚数繰出して現金出金部１８へ搬送し、算出された釣銭準備金の中の硬貨は、その金種の硬貨を金種毎に金種別硬貨金庫１７から必要枚数搬出して現金出金部１８へ搬送し、それぞれの金種に区分して出金箱に収納する。
Ｓ７、釣銭準備金の出金箱への収納を終えた主制御部３は、その旨を表示操作部５の画面に表示し、係員は出金箱を釣銭入出金機１の現金出金部１８から取外す。
【００２９】
出金箱の取外しを検知した主制御部３は、釣銭準備金の金種毎の枚数、その釣銭準備金出金日時等を釣銭準備金出金情報として記憶部４の該当するレジ番号の履歴情報格納エリアに格納し、ステップＳ２へ戻って業務選択画面を表示して待機する。
この場合に、複数の出金箱へ釣銭準備金を出金するときは、ステップＳ２〜Ｓ７の作動を繰返すようにしてもよく、ステップＳ７で釣銭準備金出金情報を格納した後にステップＳ４へ戻ってレジ番号入力画面を再度表示し、全てのレジスタ２の釣銭準備金を出金してステップＳ２へ戻るようにしてもよい。
【００３０】
Ｓ８、主制御部３は、認識した業務選択ボタンが「締上」ボタンまたは「売上集計」ボタンである場合はステップＳ１６へ、その他の業務選択ボタンの場合はステップＳ９へ移行する。
Ｓ９、主制御部３は、認識した業務選択ボタンが「入金」ボタンである場合はステップＳ１３へ、「補充」ボタンである場合はステップＳ１０へ移行する。
【００３１】
Ｓ１０、「補充」ボタンが押下されたことを認識した主制御部３は、表示操作部５の画面にレジ番号と補充する金種の枚数の入力を促す旨や出金箱の装着を促す旨の文言およびレジ番号入力欄と金種毎の枚数入力欄および入力のためのテンキー等の入力ボタン並びに入力を確定するための「確認」ボタンを表示した補充釣銭入力画面を表示する。
係員は補充が必要なレジスタ２のレジ番号や補充する釣銭の金種毎の枚数を入力して「確認」ボタンを押下し、そのレジ番号の出金箱を釣銭入出金機１の現金出金部１８に装着する。
【００３２】
Ｓ１１、入力された金種毎の枚数を認識した主制御部３は、出金箱の装着を確認して現金払出処理を実行する。
なお、現金払出処理の作動は払出される現金が入力された金種毎の枚数である以外は上記ステップＳ６で説明した釣銭出金処理の作動と同様であるのでその説明を省略する。
Ｓ１２、補充する釣銭の出金箱への収納を終えた主制御部３は、その旨を表示操作部５の画面に表示し、係員は出金箱を釣銭入出金機１の現金出金部１８から取外す。
【００３３】
出金箱の取外しを検知した主制御部３は、払出した現金の金種毎の枚数、その出金日時等を出金情報として記憶部４の該当するレジ番号の履歴情報格納エリアに格納し、ステップＳ２へ戻って業務選択画面を表示して待機する。
Ｓ１３、「入金」ボタンが押下されたことを認識した主制御部３は、表示操作部５の画面にレジ番号の入力を促す旨や各入金口への紙幣や硬貨の投入を促す旨の文言およびレジ番号入力欄と入力のためのテンキー等の入力ボタン等を表示した入金画面を表示する。
【００３４】
レジスタ２から過剰となった現金を持参した係員は、そのレジスタ２のレジ番号を入力する。
レジ番号の入力を認識した主制御部３は、釣銭入出金機１の紙幣入金部１１や硬貨入金部１４のそれぞれの入金口を開放し、係員はレジスタ２から持参した現金を紙幣と硬貨に区分してそれぞれの入金口へ投入する。
【００３５】
Ｓ１４、それぞれの入金口への紙幣や硬貨の投入を検知した主制御部３は、それぞれの入金口を閉鎖して現金収納処理を実行する。
すなわち、主制御部３は紙幣入金部１１に投入された紙幣を１枚毎に紙幣鑑別部１２へ搬送し、紙幣鑑別部１２は搬入された紙幣の金種等の鑑別を行い、これを金種毎に計数してその鑑別結果を主制御部３へ転送する。
【００３６】
鑑別結果の転送を受けた主制御部３は、鑑別された紙幣を金種別紙幣金庫１３へ搬送し、鑑別結果に基づいて該当する金種の金種別紙幣金庫１３の一時保留部へ集積する。
これと並行して、主制御部３は硬貨入金部１４に投入された硬貨を硬貨鑑別部１５へ搬送し、硬貨鑑別部１５は搬入された硬貨の金種等の鑑別を行い、これを金種毎に計数してその鑑別結果を主制御部３へ転送する。
【００３７】
一方、主制御部３は鑑別を終えた硬貨を硬貨選別部１６へ搬送し、硬貨選別部１６により金種毎に選別して該当する金種の金種別硬貨金庫１７の一時保留部へ集積する。
投入された全ての現金の一時保留部への集積を終えると、主制御部３は表示操作部５の画面に紙幣と硬貨の鑑別結果に基づいた金種毎の枚数やその合計金額および入金金額を確定するための「確認」ボタン等を表示する。
【００３８】
係員は表示された内容を確認して「確認」ボタンを押下する。
これを検知した主制御部３は、各一時保留部に金種毎に集積されている紙幣や硬貨をそれぞれの金種別紙幣金庫１３や金種別硬貨金庫１７へ収納する。
Ｓ１５、現金の収納を終えた主制御部３は、鑑別、計数された現金の金種毎の枚数、その入金日時等を入金情報として記憶部４の該当するレジ番号の履歴情報格納エリアに格納し、ステップＳ２へ戻って業務選択画面を表示して待機する。
【００３９】
Ｓ１６、「締上」ボタンが押下されたことを認識した主制御部３は、表示操作部５の画面にレジ番号の入力を促す旨や各入金口への紙幣や硬貨の投入を促す旨の文言およびレジ番号入力欄と入力のためのテンキー等の入力ボタン等を表示した入金画面を表示する。
レジスタ２に収納されていた全ての現金を持参した係員は、そのレジスタ２のレジ番号を入力し、上記ステップＳ１３の作動と同様にして係員はレジスタ２から持参した全ての現金をそれぞれの入金口へ投入する。
【００４０】
Ｓ１７、それぞれの入金口への紙幣や硬貨の投入を検知した主制御部３は、それぞれの入金口を閉鎖して締上処理を実行する。
すなわち、主制御部３は上記ステップＳ１４と同様にして投入された紙幣や硬貨を紙幣鑑別部１２や硬貨鑑別部１５で鑑別して紙幣や硬貨の金種毎の鑑別結果の転送を受け、投入された現金を該当する金種の一時保留部へ集積する。
【００４１】
そして、投入された全ての現金の一時保留部への集積を終えた主制御部３は表示操作部５の画面に紙幣と硬貨の鑑別結果に基づいた金種毎の枚数やその合計金額および入金金額を確定するための「確認」ボタン等を表示し、係員はこれを確認して「確認」ボタンを押下する。
これを検知した主制御部３は、各一時保留部に集積されている紙幣や硬貨をそれぞれの金種別紙幣金庫１３や金種別硬貨金庫１７へ収納する。
【００４２】
Ｓ１８、現金の収納を終えた主制御部３は、記憶部４格納されている入力されたレジ番号に該当する履歴情報の前回の釣銭準備金出金情報とその格納後に格納された出金情報と入金情報を抽出し、金種毎に上記締上処理における紙幣や硬貨の計数結果に入金情報の枚数を加え、釣銭準備金出金情報と出金情報の枚数を減じて今回の売上高およびその金種毎の枚数を算出する。
【００４３】
今回の売上高等の算出を終えた主制御部３は、締上処理により鑑別、計数された現金の金種毎の枚数、その締上日時、売上高とその金種毎の枚数等を締上情報として記憶部４の該当するレジ番号の履歴情報格納エリアに格納する。
Ｓ１９、締上情報の格納を終えた主制御部３は、次回の釣銭準備金にフィードバックするための次回釣銭反映枚数を算出する。
【００４４】
すなわち、主制御部３は履歴情報から抽出した前回の釣銭準備金出金情報の格納後に格納された出金情報および入金情報をそれぞれ足し合わせてそれぞれの金種毎の合計枚数を求め、そのそれぞれの金種毎の合計枚数に１未満の所定の割合、例えば出金情報に０．８、入金情報に０．５を乗じて金種毎の緩和された変化枚数を算出すると共に、前回の釣銭準備金出金日時からの経過時間を算出し、算出した変化枚数をその経過時間と営業時間との比率または経過時間の時間帯を考慮した比率で除して１日分とした反映枚数を算出する。この場合に小数点以下の端数は切上げても切捨てても四捨五入してもよい。
【００４５】
反映枚数を算出した主制御部３は、金種毎に記憶部４の該当するレジ番号の釣銭反映枚数格納エリアの次回釣銭枚数に出金情報の反映枚数を加え、入金情報の反映枚数を減じて次回釣銭反映枚数を更新する。
なお、複数のレジスタ２が存在するときは、ステップＳ１６へ戻りステップＳ１６〜Ｓ１９の作動を繰返した後にステップＳ２０へ移行するようにする。
【００４６】
Ｓ２０、主制御部３は、「売上集計」ボタンが押下されている場合はステップＳ２１へ、「締上」ボタンが押下されている場合は途中締上であるとしてステップＳ２へ戻って業務選択画面を表示して待機する。
Ｓ２１、「売上集計」ボタンが押下されていたことを認識した主制御部３は、記憶部４格納されている履歴情報から当日の全てレジスタ２の締上情報（今回締上分を含む。）を抽出し、この締上情報の売上高とその金種毎の枚数を足し合わせて店舗の１日分の売上高とその金種毎の枚数を算出し、これを印刷部６により売上明細表に印刷して排出する。この場合に、前記に加えて当日の履歴情報の全てを印刷するようにしてもよく、釣銭入出金機１に収納されている現金の金種毎の枚数を含めて印刷するようにしてもよい。
【００４７】
売上明細表を受取った係員は、釣銭入出金機１の電源を遮断してその日の業務を終了する。この場合に記憶部４に格納されている釣銭準備金基準テーブルや次回釣銭枚数等の情報はバックアップ電源等により保持される。
また、上記の釣銭準備金基準テーブルは、売上高の推移や商品系列の変更等により適宜にまたは定期的に見直すようにする。また釣銭準備金の出金時と締上時の枚数が変化しない、または変化が少ない金種の基準枚数は釣銭の回転状況等を調査して基準枚数の設定を変更するようにする。
【００４８】
なお、履歴情報はレジ番号毎に確保した履歴情報格納エリアに格納するとして説明したが、レジ番号を添付して一つの履歴情報格納エリアに時系列に格納するようにしてもよい。
また、レジ番号は表示操作部５の画面から入力するとして説明したが、例えばレジ番号を記録したＩＣチップを出金箱に設けて釣銭入出金機１が読取るようにしてもよく、釣銭入出金機１にカード取扱部を設けて係員カード等を読取って行うようにしてもよい。
【００４９】
以上説明したように、本実施例では、前回の締上後に入金された現金の入金情報と釣銭の補充のために出金した現金の出金情報とから次回に準備する釣銭の次回釣銭反映枚数を算出するようにしたことによって、レジスタが設置されている売場の状況を次回に準備する釣銭にフィードバックすることができ、締上の間に準備する釣銭の過剰または不足を解消することができ、店舗の業務効率を向上させることができる。
【００５０】
また、入金情報と出金情報から算出する変化枚数に所定の割合を乗じて緩和させながら次回釣銭反映枚数を算出するようにしたことによって、釣銭準備金の過大、過少を繰り返すハンチング現象を防止して速やかに適切な釣銭準備金に収束させることができる。
更に、店舗内の全ての現金の取扱を釣銭入出金機を介して行うようにしたことによって、営業時間の終了後の締上時に現金の計数を自動で行って即座に売上高等の集計を行うことができ、店舗における現金運用の効率化を図ることができると共に係員等の現金取扱の労力を軽減することができる。
【実施例２】
【００５１】
本実施例の釣銭入出金機１およびその現金取扱部７の構成は、図２および図３に示した実施例１のそれと同様である。
なお、上記実施例１と同様の部分は、同一の符号を付してその説明を省略する。
上記の構成の作用について説明する。
本実施例の釣銭入出金機１の記憶部４には、上記実施例１の「業務実行プログラム」に釣銭準備金の変更を可能とするルーチンが追加された「業務実行プログラム」が格納されている。
【００５２】
また、記憶部４には実施例１と同様の釣銭準備金基準テーブルや釣銭出金比率設定テーブルが格納され、釣銭反映枚数格納エリアや履歴情報格納エリアが確保されている。
以下に、図４に示すフローチャートを用い、ＳＡで示すステップに従って本実施例の釣銭入出金機の業務処理の作動について説明する。
ステップＳＡ１〜ＳＡ５の作動は、上記実施例１のステップＳ１〜Ｓ５の作動と同様であるのでその説明を省略する。
【００５３】
ＳＡ６、釣銭準備金の金種毎の枚数を算出した主制御部３は、その結果および金種毎の枚数の変更欄と入力のためのテンキー等の入力ボタン並びに変更入力を確定するための「確認」ボタンを表示した釣銭準備金変更入力画面を表示操作部５の画面に表示する。
係員は当日の店舗の状況や過去の経験を基に必要に応じて釣銭準備金の金種毎の変更して「確認」ボタンを押下する。
【００５４】
なお、変更入力の必要がない場合は、係員は変更の入力を行わずに「確認」ボタンを押下する。
ＳＡ７、「確認」ボタンの押下を検知した主制御部３は、確定された釣銭準備金の金種毎の枚数を認識し、出金箱の装着を確認して上記実施例１のステップＳ６と同様にして釣銭出金処理を実行する。
【００５５】
その後のステップＳＡ８〜ＳＡ２２の作動は、実施例１のステップＳ７〜Ｓ２１の作動と同様であるのでその説明を省略する。
なお、ステップＳＡ６において変更入力があった場合は、その変更内容を次回釣銭反映枚数にフィードバックするようにしてもよく、釣銭準備金基準テーブルの該当するレジ番号のその日付の基準釣銭枚数を変更後の枚数に更新して次年度に備えて保存するようにしてもよい。
【００５６】
以上説明したように、本実施例では、実施例１の効果に加えて、係員が操作して釣銭準備金の金種毎の枚数を変更可能としたことによって、過去の売上高や入金情報、出金情報等の過去の情報からは導き出せない釣銭準備金の変化、例えば近くの競技場でのスポーツ大会の開催等の不定期なイベント等による顧客層等の変化にも容易に対応することができ、適切な釣銭準備金を準備することができる。
【００５７】
なお、本実施例においては、ステップＳＡ６において釣銭準備金変更入力画面を表示して個別に変更入力を行うとして説明したが、ステップＳＡ２の業務選択画面に「変更入力」ボタンを設け、この業務選択ボタンの押下により予め特定または全てのレジスタの釣銭準備金の金種毎の枚数を変更可能とするようにしてもよい。
これにより、ベテランの係員が釣銭準備金の管理を行うことが可能となり、その経験や知識を有効に活用することができる。このことはパート労働者等の経験の浅いレジスタ２のオペレータが多数を占める店舗の場合に特に有効である。
【実施例３】
【００５８】
図５は実施例３を示すブロック図である。
なお、上記実施例１と同様の部分は、同一の符号を付してその説明を省略する。
図５において、２１は中央管理サーバであり、複数の店舗と契約して釣銭準備金等を管理する統括管理会社に設置され、電話回線や専用回線等の通信ネットワーク２２により複数の店舗に設置されている釣銭入出金機１と接続している。
【００５９】
中央管理サーバ２１は、契約した各店舗の設置場所やその周辺の競技場等の施設や住宅の状況等の地理情報等の環境情報を保有して各店舗の釣銭準備金の管理を統括して行う。
本実施例では統括管理会社は、複数の店舗を有するＡチェーン、Ｂチェーン等のチェーン展開を行っている複数の企業と契約しており、中央管理サーバ２１はそれらの全ての店舗の釣銭入出金機１と通信ネットワーク２２を介して接続している。
【００６０】
従って、中央管理サーバ２１は、契約している店舗が複数存在する特定の地域の需要状況等をより正確に把握することが可能になると共にイベント等の開催時にはその地域の全ての店舗にそれに基づいた釣銭準備金を通知することが可能となる。
本実施例の釣銭入出金機１およびその現金取扱部７の構成は、図２および図３に示した実施例１のそれと同様であるが、中央管理サーバ２１との接続のために、主制御部３は通信ネットワーク２２と接続してそのデータ通信をも制御する。
【００６１】
上記の構成の作用について説明する。
本実施例の釣銭入出金機１の記憶部４には、予め釣銭準備金の出金や不足した釣銭の補充、過剰となった釣銭の回収等の現金の入出金等の釣銭入出金機１の業務処理を実行するための「業務実行プログラム」が格納され、入金時の入金情報や出金時の出金情報、締上時の締上情報等の履歴情報を格納する履歴情報格納エリアがレジ番号毎に確保されている。
【００６２】
また、中央管理サーバ２１には、各店舗の釣銭準備金の統括管理およびその適正化を実行するための「統括管理実行プログラム」が格納されており、図示しないデータベース等には、契約している全ての店舗の店舗番号に対応させて実施例１の釣銭入出金機１の記憶部４と同様のその店舗のレジスタ２のレジ番号毎に基準釣銭枚数を記載した釣銭準備金基準テーブル、レジスタ２の稼動時間帯を考慮して設定した釣銭出金比率と稼動時間帯をレジ番号毎に記載した釣銭出金比率設定テーブルが格納され、レジスタ２が設置されている売場の状況を次回の釣銭準備金にフィードバックするための次回釣銭反映枚数を格納する釣銭反映枚数格納エリアが確保されている。
【００６３】
更に、中央管理サーバ２１には、各店舗の入出金等の履歴を格納する店舗別履歴情報格納エリアが確保されている。
以下に、図６に示すフローチャートを用い、ＳＢで示すステップに従って本実施例の釣銭入出金機１の業務処理について説明する（中央管理サーバ２１の統括管理処理については後述する。）。
【００６４】
ＳＢ１、店舗の係員は開店前の業務開始時に釣銭入出金機１へ電源を投入し、釣銭入出金機１の主制御部３は、これを検知して「業務実行プログラム」を起動する。
業務実行プログラム」を起動すると、主制御部３はこのプログラムに従って表示操作部５の画面に上記実施例１のステップＳ２と同様の業務選択画面を表示して待機する。
係員は実施例１のステップＳ２と同様にして表示操作部５の画面から所定の業務を選択し、その業務選択ボタンを押下する。
【００６５】
ＳＢ２、押下された業務選択ボタンをタッチパネルからの位置信号等により認識した主制御部３は、押下された業務選択ボタンが「釣銭出金」ボタンである場合はステップＳＢ３へ、その他の業務選択ボタンの場合はステップＳＢ７へ移行する。
ＳＢ３、「釣銭出金」ボタンが押下されたことを認識した主制御部３は、実施例１のステップＳ４と同様にして表示操作部５の画面にレジ番号入力画面を表示し、係員はレジ番号を入力して「確認」ボタンを押下すると共にそのレジ番号の出金箱を釣銭入出金機１の現金出金部１８に装着する。
【００６６】
ＳＢ４、レジ番号を認識した主制御部３は、中央管理サーバ２１に対してそのレジスタ２の釣銭準備金の問合を実行する。
すなわち、主制御部３は入力されたレジ番号に店舗番号を添付して釣銭準備金問合電文を作成し、これを通信ネットワーク２２を介して中央管理サーバ２１へ送信する。
釣銭準備金問合電文を受信した中央管理サーバ２１は、後述するステップＳＣ２によりそのレジ番号の釣銭準備金を算出し、その釣銭準備金の金種別の枚数等を依頼元の釣銭入出金機１へ通信ネットワーク２２を介して通知する。
【００６７】
ＳＢ５、主制御部３は出金箱の装着を確認して通知された釣銭準備金の金種別の枚数を基に実施例１のステップＳ６と同様にして釣銭出金処理を実行する。
ＳＢ６、釣銭準備金の出金箱への収納を終えた主制御部３は、実施例１のステップＳ７と同様にして係員に出金箱を引渡し、釣銭準備金出金情報を記憶部４の該当するレジ番号の履歴情報格納エリアに格納し、ステップＳＢ１へ戻って業務選択画面を表示して待機する。この場合に、複数の出金箱へ釣銭準備金を出金するときは、実施例１と同様にして作動させる。
【００６８】
その後のステップＳＢ７〜ＳＢ１０の作動は、実施例１のステップＳ７〜Ｓ１１の作動と同様であるのでその説明を省略する。
ＳＢ１１、補充する釣銭の出金箱への収納を終えた主制御部３は、実施例１のステップＳ１２と同様にして係員に出金箱を引渡し、払出した現金の出金情報を記憶部４の該当するレジ番号の履歴情報格納エリアに格納すると共にその出金情報に店舗番号とレジ番号を添付して通信ネットワーク２２を介して中央管理サーバ２１へ送信し、ステップＳＢ１へ戻って業務選択画面を表示して待機する。
【００６９】
その後のステップＳＢ１２〜ＳＢ１９の作動は、実施例１のステップＳ１３〜Ｓ１８およびＳ２０、Ｓ２１の作動と同様であるのでその説明を省略する。
なお、ステップＳＢ１４、ＳＢ１７において入金情報や締上情報を格納したときにも上記ステップＳＢ１１と同様にして入金情報や締上情報を中央管理サーバへ送信する。
上記のように、本実施例の釣銭入出金機１は店舗の現金の入出金の管理を行う。
【００７０】
以下に、図７に示すフローチャートを用い、ＳＣで示すステップに従って本実施例の中央管理サーバ２１の統括管理処理について説明する。
なお、中央管理サーバ２１は常に各店舗からの釣銭準備金の問合等に対応できるように定期的な保守作業を除けば終日稼動している。
ＳＣ１、中央管理サーバ２１は、その「統括管理実行プログラム」により店舗の釣銭入出金機１からの釣銭準備金問合電文の受信を待つ釣銭準備金問合電文受信待状態で待機しており、釣銭準備金問合電文を受信した時にステップＳＣ２へ移行する。
【００７１】
釣銭準備金問合電文を受信しない場合はステップＳＣ４へ移行する。
ＳＣ２、釣銭準備金問合電文を受信した中央管理サーバ２１は、釣銭準備金問合電文の店舗番号とレジ番号を基に釣銭準備金基準テーブルおよび釣銭出金比率設定テーブルからそのレジスタ２の基準釣銭枚数および釣銭出金比率を抽出し、その基準釣銭枚数に釣銭反映枚数格納エリアのそのレジ番号の次回釣銭反映枚数（後述するステップＳＣ６）を加算して金種毎の出金枚数を算出する。
【００７２】
そして、算出した金種毎の出金枚数に釣銭出金比率を乗じて釣銭準備金の金種毎の枚数を算出する。この場合に小数点以下の端数は切上げても切捨てても四捨五入してもよい。
ＳＣ３、釣銭準備金の金種毎の枚数を算出した中央管理サーバ２１は、算出した釣銭準備金の金種毎の枚数等を通信ネットワーク２２を介して依頼元の釣銭入出金機１へ送信して通知すると共にその釣銭準備金通知日時と金種毎の枚数等を該当する店舗番号の店舗別履歴情報格納エリアに格納し、ステップＳＣ４へ移行する。
【００７３】
ＳＣ４、中央管理サーバ２１は、店舗の釣銭入出金機１からの出金情報の受信を待つ出金情報受信待状態で待機しており、出金情報を受信した時にステップＳＣ６へ移行する。    出金情報を受信しない場合はステップＳＣ５へ移行する。
ＳＣ５、中央管理サーバ２１は、店舗の釣銭入出金機１からの入金情報の受信を待つ入金情報受信待状態で待機しており、入金情報を受信した時にステップＳＣ６へ移行する。入金情報を受信しない場合はステップＳＣ７へ移行する。
【００７４】
ＳＣ６、出金情報または入金情報を受信した中央管理サーバ２１は、店舗別履歴情報エリアの該当する店舗番号の履歴情報から前回の釣銭準備金通知日時を抽出して次回釣銭反映枚数を算出する。
すなわち、中央管理サーバ２１は、出金情報を受信した場合は出金情報の金種毎の枚数に１未満の所定の割合、例えば０．８を乗じて金種毎の緩和された変化枚数を算出すると共に、前回の釣銭準備金通知日時からの経過時間を算出し、算出した変化枚数をその経過時間と営業時間との比率等で除して１日分とした反映枚数を求め、これを金種毎に該当するレジ番号の釣銭反映枚数格納エリアの次回釣銭枚数に加えて次回釣銭反映枚数を更新する。
【００７５】
入金情報を受信した場合は、入金情報の金種毎の枚数に１未満の所定の割合、例えば０．５を乗じて金種毎の緩和された変化枚数を算出すると共に、前回の釣銭準備金通知日時からの経過時間を算出し、算出した変化枚数をその経過時間と営業時間との比率等で除して１日分とした反映枚数を求め、これを金種毎に該当するレジ番号の釣銭反映枚数格納エリアの次回釣銭枚数から減じて次回釣銭反映枚数を更新する。
【００７６】
その後、中央管理サーバ２１はステップＳＣ８へ移行する。
ＳＣ７、中央管理サーバ２１は、店舗の釣銭入出金機１からの締上情報の受信を待つ締上情報受信待状態で待機しており、締上情報を受信した時にステップＳＣ８へ移行する。
締上情報を受信しない場合はステップＳＣ９へ移行する。
ＳＣ８、中央管理サーバ２１は、受信した出金情報や入金情報、締上情報を該当する店舗番号の店舗別履歴情報格納エリアに格納し、ステップＳＣ９へ移行する。
なお、格納した締上情報等は後日の釣銭準備金基準テーブルのメンテナンス等に活用される。
【００７７】
ＳＣ９、中央管理サーバ２１は、メンテナンス等のために統括管理会社の保守員等が行う終了操作の終了指示を待つ終了指示待状態で待機しており、終了指示を受付けた時に統括管理処理を終了させる。
終了指示がない場合は、ステップＳＣ１へ戻って上記のステップＳＣ１〜ＳＣ９の待機を継続する。
【００７８】
なお、上記においては中央管理サーバ２１は店舗番号に基づいて統括管理を実行すると説明したが、一つの店舗に２台以上の釣銭入出金機１が設置されている企業との契約が含まれる等の場合は、店舗番号に代えて釣銭入出金機番号を用いるようにしてもよい。
また、上記ステップＳＣ６において、次回釣銭反映枚数の更新は出金情報や入金情報を受信する度に行うとして説明したが、上記実施例１および実施例２と同様に締上情報を受信した時にまとめて更新するようにしてもよい。また実施例１および実施例２において、  次回釣銭反映枚数の更新を出金情報や入金情報の格納（ステップＳ１２、Ｓ１５等）の度に行うようにしてもよい。
【００７９】
以上説明したように、本実施例では、実施例１の効果に加えて、中央管理サーバが統括して釣銭準備金の管理を行うようにしたことによって、釣銭入出金機１台毎に釣銭準備金基準テーブル等を格納する必要がなくなり、釣銭入出金機の簡素化を図ることができると共に、イベント等の開催時にはその地域の全ての店舗にそれに基づいた釣銭準備金を通知することが可能となり、契約した各企業の調査に要する労力を軽減することができる。
【００８０】
また、多数の釣銭入出金機からの情報を利用できるようにしたことによって、特定の地域に複数の店舗が存在する場合は、これらの情報を総合して需要状況等をより正確に把握することができ、これに基づく釣銭準備金基準テーブルのメンテナンスが可能となり、より適切な釣銭準備金の基準釣銭枚数を設定することができる。
なお、上記各実施例においては、次回釣銭反映枚数を算出するときに１未満の所定の割合を乗じて緩和した変化枚数を求める（ステップＳ１８等）として説明したが、所定の割合は店舗の状況等に応じて１以上の値を用いるようにしてもよい。
【図面の簡単な説明】
【００８１】
【図１】実施例１の業務処理を示すフローチャート
【図２】実施例１の釣銭入出金機を示すブロック図
【図３】実施例１の現金取扱部を示すブロック図
【図４】実施例２の業務処理を示すフローチャート
【図５】実施例３の構成を示すブロック図
【図６】実施例３の業務処理を示すフローチャート
【図７】実施例３の統括管理処理を示すフローチャート
【符号の説明】
【００８２】
１    釣銭入出金機
２    レジスタ
３    主制御部
４    記憶部
５    表示操作部
６    印刷部
７    現金取扱部
１１  紙幣入金部
１２  紙幣鑑別部
１３  金種別紙幣金庫
１４  硬貨入金部
１５  硬貨鑑別部
１６  硬貨選別部
１７  金種別硬貨金庫
１８  現金出金部
【図１】
2005078188.tif 000003
【図２】
2005078188.tif 000004
【図３】
2005078188.tif 000005
【図４】
2005078188.tif 000006
【図５】
2005078188.tif 000007
【図６】
2005078188.tif 000008
【図７】
2005078188.tif 000009